(57)【要約】【課題】クロック信号の位相ずれを防止できる液晶表示装置を提供する。【解決手段】コントローラＩＣ22とＴＡＢ−ＩＣ32との間にＥＭＩフィルタ31を取り付ける。ＥＭＩフィルタ31でのクロック信号のノイズの除去の際に生じる位相ずれを考慮してクロック信号の位相をクロック位相調整回路25にて調整する。ＴＡＢ−ＩＣ32へと入力されるクロック信号の位相をデータ信号および同期信号それぞれの位相に同期できる。ＴＡＢ−ＩＣ32へと入力されるクロック信号のデータ信号および同期信号に対する位相ずれを防止できる。ＴＡＢ−ＩＣ32へのクロック信号、データ信号および同期信号それぞれの入力タイミングを確実に確保できる。【選択図】図１
2007121641.tif 000002
【特許請求の範囲】
【請求項１】
マトリクス状に設けられた複数の第１の電極に対向して光変調層が設けられた表示装置に接続され、外部から少なくともデータ信号、クロック信号および同期信号が入力され、前記データ信号に基づく信号電圧を前記クロック信号および同期信号に同期して前記表示装置の第１の電極に出力して画像を表示させる駆動装置であって、
前記データ信号、クロック信号および同期信号が入力される制御部と、
この制御部から出力されたクロック信号の位相を、前記データ信号および同期信号に基づいて調整する位相調整部と、
この位相調整部にて位相が調整されたクロック信号とこのクロック信号および前記同期信号に同期させた前記データ信号に基づく信号電圧とを前記表示装置の第１の電極へと入力させる配線部と
を具備したことを特徴とする駆動装置。
【請求項２】
位相調整部にて位相が調整されたクロック信号が入力され、このクロック信号のノイズを除去するノイズ除去手段を具備した
ことを特徴とする請求項１記載の駆動装置。
【請求項３】
ノイズ除去手段は、クロック信号のノイズの除去とともに、このクロック信号の位相をずらし、
位相調整部は、前記ノイズ除去手段でのクロック信号のノイズの除去の際にずれる位相に対応して前記クロック信号の位相を調整する
ことを特徴とする請求項２記載の駆動装置。
【発明の詳細な説明】
【技術分野】
【０００１】
本発明は、表示装置に画像を表示させる駆動装置に関する。
【背景技術】
【０００２】
従来、この種の表示装置としての液晶表示装置は、画素電極を有する複数の画素がマトリクス状に設けられたアレイ基板に、対向電極を有する対向基板が対向して配設され、これらアレイ基板の画素電極と対向基板の対向電極との間に液晶層が光変調層として介在されて構成されている。
【０００３】
そして、この種の液晶表示装置の液晶パネルに画像を表示させる駆動装置としては、外部から少なくともデータ信号、クロック信号および同期信号が入力され、データ信号に基づく信号電圧をクロック信号および同期信号に同期してコントロールＩＣからＴＡＢ(Tape Automated Bonding)−ＩＣを介して液晶パネルの画素電極に入力させて、この液晶パネルに画像を表示させる構成が知られている（例えば、特許文献１参照。）。
【０００４】
さらに、この種の液晶表示装置は、薄型、軽量および低消費電力などの特徴を生かして様々な分野で利用されていることから、不要電波輻射対策が求められている。また、この種の液晶表示装置は、画像表示が可能な表示領域の大型化および高精細化に伴って、高周波数の信号伝送による不要電波輻射量が増加している。そして、この不要電波輻射対策としては、コントロールＩＣからＴＡＢ−ＩＣまでの信号伝送に、ＥＭＩ(Electro Magnetic Interference)フィルタや、チップビーズインダクタなどを、クロック信号、同期信号およびデータ信号に入力させている。
【０００５】
ところが、これらＥＭＩフィルタやチップビーズインダクタを接続したことによって、クロック信号と、データ信号および同期信号との位相がずれてしまうから、この位相のずれを、このクロック信号を伝送するためのクロックラインに抵抗やコンデンサなどを接続して調整する必要がある。さらに、このＥＭＩフィルタの特性によっては、クロック信号の位相ずれが非常に大きい場合があるので、このクロック信号をＴＡＢ−ＩＣに入力させるタイミングを確保することが容易ではないから、電波対策に有効なＥＭＩフィルタを用いることが容易ではない。また、クロック信号のクロックラインに抵抗やコンデンサを追加することによって、クロック信号の振幅が小さくなる。
【特許文献１】特開２００１−１３４２４４号公報
【発明の開示】
【発明が解決しようとする課題】
【０００６】
上述したように、上記液晶表示装置の駆動回路では、コントロールＩＣからＴＡＢ−ＩＣまでの信号伝送にＥＭＩフィルタやチップビーズインダクタを接続したことによって、クロック信号と、データ信号および同期信号との位相がずれてしまうおそれがあるという問題を有している。
【０００７】
本発明は、このような点に鑑みなされたもので、クロック信号の位相のずれを防止できる駆動装置を提供することを目的とする。
【課題を解決するための手段】
【０００８】
本発明は、マトリクス状に設けられた複数の第１の電極に対向して光変調層が設けられた表示装置に接続され、外部から少なくともデータ信号、クロック信号および同期信号が入力され、前記データ信号に基づく信号電圧を前記クロック信号および同期信号に同期して前記表示装置の第１の電極に出力して画像を表示させる駆動装置であって、前記データ信号、クロック信号および同期信号が入力される制御部と、この制御部から出力されたクロック信号の位相を、前記データ信号および同期信号に基づいて調整する位相調整部と、この位相調整部にて位相が調整されたクロック信号とこのクロック信号および前記同期信号に同期させた前記データ信号に基づく信号電圧とを前記表示装置の第１の電極へと入力させる配線部とを具備したものである。
【０００９】
そして、データ信号、クロック信号および同期信号が入力される制御部から出力されたクロック信号の位相を、データ信号および同期信号に基づいて位相調整部にて調整してから、この位相調整部にて位相を調整したクロック信号と、このクロック信号および同期信号に同期させたデータ信号に基づく信号電圧とが、配線部にて表示装置の第１の電極へと入力されて画像が表示される。
【発明の効果】
【００１０】
本発明によれば、制御部から出力されたクロック信号の位相を、データ信号および同期信号に基づいて位相調整部にて調整してから、このクロック信号をデータ信号に基づく信号電圧とともに配線部にて表示装置の第１の電極へと入力させる構成とした。この結果、位相調整部にてクロック信号の位相をデータ信号および同期信号に基づいて調整できるので、データ信号および同期信号に対するクロック信号の位相のずれを防止できる。
【発明を実施するための最良の形態】
【００１１】
以下、本発明の平面表示装置の一実施の形態の構成を図１を参照して説明する。
【００１２】
図１において、１は平面表示装置としての液晶表示装置で、この液晶表示装置１は、画像表示が可能な画像表示装置としての液晶表示パネル２を備えている。この液晶表示パネル２は、矩形平板状のアレイ基板３を有している。そして、このアレイ基板３は、透光性を有する絶縁基板である略透明なガラス基板４を有しており、このガラス基板４の一主面である表面の中央部に、画像表示が可能な矩形状の画像表示領域５が形成されている。
【００１３】
そして、このガラス基板４の画像表示領域５には、格子状に走査線６と信号線７とが配線されており、これら走査線６および信号線７にて仕切られた領域のそれぞれに画素８が設けられている。よって、これら画素８は、表示画素であって、ガラス基板４の画像表示領域５にマトリクス状に設けられている。さらに、複数の画素８のそれぞれには、走査線６および信号線７の交点に対応してスイッチング素子としての薄膜トランジスタ９や、この薄膜トランジスタにて制御される第１の電極として画素電極10、補助容量11などが１画素構成要素として設けられている。
【００１４】
また、アレイ基板３のガラス基板４の周縁には、走査線駆動回路としての細長矩形平板状のＹドライバ回路12が配設されている。このＹドライバ回路12は、ガラス基板４の縦方向に沿って設けられており、このガラス基板４上の各走査線６のそれぞれの一端部に電気的に接続されている。また、このガラス基板４の縦方向に沿った一端には、信号線駆動回路としての細長矩形平板状のＸドライバ回路13が配設されている。このＸドライバ回路13は、ガラス基板４上の各信号線７のそれぞれの一端部に電気的に接続されている。
【００１５】
一方、アレイ基板３のガラス基板４の表面に対向して矩形平板状の対向基板14が所定の間隔を介して重ねられて配設されている。そして、この対向基板14は、透光性を有する絶縁基板である略透明なガラス基板15を有しており、このガラス基板15の一主面である表面上には、第２の電極としての対向電極16が積層されている。この対向電極16は、共通電極としてのコモン電極であって、ＩＴＯ(Indium Tin Oxide)などの透明電極にて構成されている。
【００１６】
また、この対向基板14は、対向基板14の対向電極16をアレイ基板３上の各画素電極10に対向させた状態で、このアレイ基板３に取り付けられている。そして、これらアレイ基板３の画素電極10と対向基板14の対向電極16との間に設けられている間隙である図示しない液晶封止領域には、光変調層としての液晶層17が介在されて封止されて液晶表示パネル２が構成されている。
【００１７】
さらに、この液晶表示パネル２のＹドライバ回路12およびＸドライバ回路13には、これらＹドライバ回路12およびＸドライバ回路13のそれぞれにデータ信号DATAや同期信号STなどの各種の差動信号を供給して入力させる駆動装置としての駆動回路部21が接続されている。この駆動回路部21は、Ｙドライバ回路12およびＸドライバ回路13を介して液晶表示パネル２の画像表示領域５に画像を表示させるドライバ回路である。さらに、この駆動回路部21は、外部から少なくともデータ信号DATA、クロック信号CPおよび同期信号STがそれぞれ入力され、この入力されたデータ信号DATAに基づく信号電圧を、クロック信号CPおよび同期信号STに同期させてから、Ｙドライバ回路12およびＸドライバ回路13を介して液晶表示パネル３の各画素電極10へと出力させる。
【００１８】
具体的に、この駆動回路部21は、制御部としてのコントローラＩＣ22を備えており、このコントローラＩＣ22には、外部から少なくともデータ信号DATA、クロック信号CPおよび同期信号STが入力される。また、このコントローラＩＣ22は、論理回路としてのロジック回路である内部クロック23と、入力される信号をオンオフにて反転させる論理回路としてのロジック回路であるＮＯＴ回路24とを備えている。
【００１９】
さらに、このコントローラＩＣ22には、このコントローラＩＣ22の内部クロック23から出力されたクロック信号CPの位相を、このコントローラＩＣ22へと入力されたデータ信号DATAおよび同期信号STに基づいて任意の時間だけ調整する位相調整部としてのクロック位相調整回路25が接続されている。このクロック位相調整回路25は、コントローラＩＣ22内に設けられている内部クロック23およびＮＯＴ回路24のそれぞれを、このコントローラＩＣ22と共有して備えている。そして、このＮＯＴ回路24は、コントローラＩＣ22から出力させるクロック信号CPの位相を大きくずらす必要がある場合に、このクロック信号CPの位相を出力段で反転させる機能を有している。
【００２０】
また、クロック位相調整回路25は、一端が内部クロック23の出力側に接続された抵抗R1と、この抵抗R1の他端に一端が接続された容量としてのコンデンサＣと有している。このコンデンサＣは他端が接地されており、このコンデンサＣの一端および抵抗R1の他端のそれぞれがＮＯＴ回路24の入力側に接続されている。すなわち、クロック位相調整回路25は、内部クロック23から出力されたクロック信号CPを、抵抗R1およびコンデンサＣの時定数で鈍らせて、図２(ｃ)に示すように、この内部クロック23から出力されるデータ信号DATAおよび同期信号STに対するクロック信号CPの位相を水平にαほどずらす。
【００２１】
具体的に、このクロック位相調整回路25は、液晶表示パネル２の画像表示領域５全体を描画するための周波数であるリフレッシュレートが６０ＨｚであるＸＧＡの場合に、内部クロック23から出力されるクロック信号CPの最小周波数が、例えば３２．５ＭＨｚで、このクロック信号CPの１波長当たりの時間が、例えば３０．８ｎｓであって、データ信号DATAおよび同期信号STの最小周波数が、例えば１６．２５ＭＨｚで、これらデータ信号DATAおよび同期信号STの１波長当たりの時間が、例えば６１．５ｎｓである。よって、このクロック位相調整回路25は、コンデンサＣを２７ｐＦとし、抵抗R1を１００Ωと設定した場合に、時定数τが２．７ｎＳとなるから、コントローラＩＣ22の入力側である入力バッファが理想的にクロック信号CPを取り込んだ場合には、２．７ｎｓほど位相がずれた波形のクロック信号CPを出力させる。
【００２２】
さらに、このクロック位相調整回路25は、そのままクロック信号CPを出力させると、このクロック信号CPの振幅が小さくなることから、このクロック信号CPをコントローラＩＣ22に一旦入力させてから、このコントローラＩＣ22の出力側に設置された図示しない出力バッファで任意の電圧までクロック信号CPの振幅を増幅させてから出力させる。
【００２３】
また、ＮＯＴ回路24の出力側には、ノイズ除去手段としてのノイズフィルタであるＥＭＩ(Electro Magnetic Interference)フィルタ31の入力側が接続されている。このＥＭＩフィルタ31は、クロック信号CPへのノイズの混入を防止する手段であって、このクロック信号CPのノイズを除去する際に、このクロック信号CPの位相がずれる。すなわち、このＥＭＩフィルタ31は、クロック信号CPのノイズを除去する際に、クロック位相調整回路25にて調整された値であるαほど、このクロック信号CPの位相を逆方向に水平にβほどずらす。したがって、αとβとが等しく、このＥＭＩフィルタ31にてクロック信号CPの位相がβほどずれることによって、このクロック信号CPの位相がデータ信号DATAおよび同期信号STそれぞれの位相に同期した位相となる。
【００２４】
すなわち、このクロック位相調整回路25は、ＥＭＩフィルタ31でのクロック信号CPのノイズの除去に際にずれる位相に対応させて、このクロック信号CPの位相をずらして調整する。言い換えると、このクロック位相調整回路25は、ＥＭＩフィルタ31でのクロック信号CPのノイズの除去によって、このクロック信号CPの位相がずれた際に、このクロック信号CPの位相が、データ信号DATAおよび同期信号STそれぞれの位相に同期した位相となるように、このクロック信号CPの位相を予め調整させる。
【００２５】
さらに、ＥＭＩフィルタ31の出力側には、抵抗R2の一端が接続されている。そして、この抵抗R2の他端は、配線部としてのＴＡＢ(Tape Automated Bonding)−ＩＣ32の入力側に接続されている。そして、このＴＡＢ−ＩＣ32の出力側は、Ｙドライバ回路12およびＸドライバ回路13のそれぞれに接続されている。
【００２６】
次に、上記一実施の形態の液晶表示装置の作用を図２を参照して説明する。
【００２７】
まず、図示しないＰＣプロセッサから出力されたデータ信号DATA、クロック信号CPおよび同期信号STは、駆動回路部21のコントローラＩＣ22へと入力される。
【００２８】
このとき、このコントローラＩＣ22へ入力されるデータ信号DATAおよび同期信号STは、図２(ａ)に示すように、例えば最小周波数が１６．２５ＭＨｚであり、１波長当たりの時間が６１．５ｎｓであって、互いの位相が反転した波形の信号である。
【００２９】
そして、このコントローラＩＣ22は、データ信号DATAに基づく信号電圧を、クロック信号CPおよび同期信号STに同期させてから、このデータ信号DATAを出力させる。
【００３０】
このとき、このコントローラＩＣ22の内部クロック23から出力されたクロック信号CPは、図２(ｂ)に示すように、例えば最小周波数が３２．５ＭＨｚであり、１波長当たりの時間が３０．８ｎｓであって、データ信号DATAおよび同期信号STそれぞれの位相に同期した位相である。
【００３１】
この後、このコントローラＩＣ22の内部クロック23から出力されたクロック信号CPは、図２(ｃ)に示すように、クロック位相調整回路25の抵抗R1およびコンデンサＣの時定数によって鈍らせて、このクロック信号CPの位相がデータ信号DATAおよび同期信号STの位相に対して調整されてずらされる。
【００３２】
次いで、このクロック位相調整回路25のコンデンサＣにて位相がずらされたクロック信号CPは、図２(ｄ)に示すように、このクロック位相調整回路25のＮＯＴ回路24にてオンオフ制御されて、このクロック信号CPのセットアップ時間が０ｎｓから２．７ｎｓへと調整されるとともにホールド時間が短く調整される。
【００３３】
ここで、このコントローラＩＣ22から出力されるクロック信号CPの位相を大きくずらす必要がある場合には、このクロック信号CPの位相をＮＯＴ回路24にて出力段で反転させる。
【００３４】
この後、クロック位相調整回路25から出力されたクロック信号CPは、ＥＭＩフィルタ31にてノイズが除去されてから抵抗R2を介してＴＡＢ−ＩＣ32へと入力される。このとき、このＥＭＩフィルタ31にてクロック信号CPのノイズを除去する際に、このクロック信号CPの位相がずらされて、図２(ｅ)に示すように、このクロック信号CPの位相が結果的にデータ信号DATAおよび同期信号STそれぞれの位相に同期した位相となる。
【００３５】
一方、コントローラＩＣ22から出力されたデータ信号DATAおよび同期信号STもまた、ＥＭＩフィルタ31および抵抗R2を介してＴＡＢ−ＩＣ32へと入力される。
【００３６】
この後、このＴＡＢ−ＩＣ32へと入力されたクロック信号CP、データ信号DATAおよび同期信号STは、Ｙドライバ回路12およびＸドライバ回路13へと入力される。
【００３７】
そして、これらＹドライバ回路12およびＸドライバ回路13へと入力されたクロック信号CP、データ信号DATAおよび同期信号STのそれぞれに基づいて、これらＹドライバ回路12およびＸドライバ回路13にて液晶表示パネル２の各画素８内の薄膜トランジスタ９を駆動させて画素電極10を制御することによって、この液晶表示パネル２の画像表示領域５に所定の画像を表示させる。
【００３８】
上述したように、上記一実施の形態によれば、コントローラＩＣ22から出力されるクロック信号CPの位相をＴＡＢ−ＩＣ32へと入力させる前の段階でクロック位相調整回路25にて調整する構成とした。
【００３９】
この結果、これらコントローラＩＣ22とＴＡＢ−ＩＣ32との間に電波対策に有利なＥＭＩフィルタ31を取り付けた場合であっても、このＥＭＩフィルタ31でのクロック信号CPのノイズの除去の際に生じる位相ずれを考慮して、コントローラＩＣ22から出力されるクロック信号CPの位相をクロック位相調整回路25にて調整することにより、ＴＡＢ−ＩＣ32へと入力されるクロック信号CPの位相をデータ信号DATAおよび同期信号STそれぞれの位相に同期できる。
【００４０】
よって、このＴＡＢ−ＩＣ32へと入力させる際の、クロック信号CPのデータ信号DATAおよび同期信号STに対する位相ずれを防止できる。このため、ＥＭＩフィルタ31を用いてもＴＡＢ−ＩＣ32へのクロック信号CP、データ信号DATAおよび同期信号STそれぞれの入力タイミングを確実に確保できる。
【００４１】
さらに、クロック信号CPが送信される配線である図示しないクロックラインに抵抗やコンデンサを追加する必要がないので、このクロックラインに抵抗やコンデンサを追加することによる、このクロック信号CPの振幅が小さくなるなどの弊害も無くすことができる。
【００４２】
また、コントローラＩＣ22から出力させるクロック信号CPの位相を大きくずらす必要がある場合に、このクロック信号CPの位相をＮＯＴ回路24にて出力段で反転させて大きくずらすことによって、このクロック信号CPの波形を最適なクロック波形にできる。
【００４３】
したがって、ＥＭＩフィルタ31に伝送するクロック信号CPの振幅を小さくすることなく、任意のタイミングでクロック信号CPの位相をずらすことができるので、誤作動が少なく良好な画像表示が可能な液晶表示パネル１にできる。
【００４４】
なお、上記一実施の形態では、駆動回路部21のコントローラＩＣ22とＴＡＢ−ＩＣ32との間にＥＭＩフィルタ31を取り付けて、このコントローラＩＣ22から出力されるクロック信号CPのノイズを除去する構成としたが、これらコントローラＩＣ22とＴＡＢ−ＩＣ32との間に、図示しないチップビーズインダクタや抵抗などをノイズ除去手段として取り付けて、このコントローラＩＣ22から出力されるクロック信号CPのノイズを除去する構成とすることもできる。
【００４５】
さらに、スイッチング素子として薄膜トランジスタ９が用いられた液晶表示パネル２の画像表示領域５に画像を表示させる駆動回路部21について説明したが、この薄膜トランジスタ９以外のスイッチング素子が用いられた液晶表示パネル２や、その他の画像表示が可能な液晶層17以外の光変調層を有するプラズマディスプレイパネルあるいはエレクトロルミネッセンス（ＥＬ）ディスプレイパネルなどの平面表示装置であっても対応させて用いることができる。
【図面の簡単な説明】
【００４６】
【図１】本発明の駆動装置の一実施の形態の一部を示す説明構成図である。
【図２】同上駆動装置にて制御されるクロック信号、データ信号および同期信号を示す波形説明図であって、(ａ)はデータ信号および同期信号の波形図で、(ｂ)はコントローラＩＣ出力時のクロック信号の波形図で、(ｃ)はクロック位相調整回路にて位相が調整されたクロック信号の波形図で、(ｄ)はＮＯＴ回路出力時のクロック信号の波形図で、(ｅ)はＴＡＢ−ＩＣ入力時のクロック信号の波形図である。
【符号の説明】
【００４７】
２    表示装置としての液晶表示パネル
10    第１の電極としての画素電極
17    光変調層としての液晶層
21    駆動装置としての駆動回路部
22    制御部としてのコントローラＩＣ
25    位相調整部としてのクロック位相調整回路
31    ノイズ除去手段としてのＥＭＩフィルタ
32    配線部としてのＴＡＢ−ＩＣ
【図１】
2007121641.tif 000003
【図２】
2007121641.tif 000004